(57)【要約】      （修正有）【課題】着信があった場合に、着信側の状況に応じて、複数の情報の中から何れかの情報を選択して表示する表示情報切替装置、切替システム、方法及びプログラムを提供する。【解決手段】発信元番号を検索キーとして電話帳を検索し、発信元番号と同一の電話番号に紐付けられている情報を表示する場合、同じ発信元電話番号であっても、表示情報切替装置が、着信側電話機が置かれている状況によって表示する情報の内容を異ならせることにより、発信元電話番号に対応した情報を着信側に表示出来る。【選択図】図１
2016111383.tif 000002
【特許請求の範囲】
【請求項１】
発信元電話番号に対応した情報を着信側に表示する場合に、同じ発信元電話番号であっても、着信側電話機が置かれている状況によって前記表示する情報の内容を異ならせることを特徴とする表示情報切替装置。
【請求項２】
前記表示する情報とは、発信元を特定するための名称であることを特徴とする請求項１に記載の表示情報切替装置。
【請求項３】
前記発信元電話番号は着信時に前記着信側電話機に通知され、少なくとも着信中の一部の期間に前記情報を表示することを特徴とする請求項１又は２に記載の表示情報切替装置。
【請求項４】
前記着信側電話機に割り当てられる電話番号として、第１の種別の電話番号と、第２の種別の電話番号が有り、
前記着信側電話機に前記第１の種別の電話番号が割り当てられている場合と、前記着信側電話機に前記第２の種別の電話番号が割り当てられている場合とで前記表示する情報を異ならせることを特徴とする請求項１乃至３の何れか１項に記載の表示情報切替装置。
【請求項５】
災害に関連する事象が発生したか否かを判断する手段を備え、
災害に関連する事象が発生していない場合と、災害に関連する事象が発生している場合とで前記表示する情報を異ならせることを特徴とする請求項１乃至３の何れか１項に記載の表示情報切替装置。
【請求項６】
前記着信側電話機の設定は、時間帯に応じて第１の設定又は第２の設定に切り替えられ、
前記着信側電話機の設定が第１の設定とされている場合と、前記着信側電話機の設定が第２の設定とされている場合とで前記表示する情報を異ならせることを特徴とする請求項１乃至３の何れか１項に記載の表示情報切替装置。
【請求項７】
電話番号と第１の前記表示する情報とを紐付けて第１のグループとし、前記第１の前記表示する情報と紐付けた前記電話番号と第２の前記表示する情報とを紐付けて第２のグループとし、
前記発信元電話番号を検索キーとして前記各グループを検索することにより、発信元電話番号に対応する前記表示する情報を特定する手段を備え、
通常時は前記第１のグループを優先的に検索対象とするが、前記着信側電話機が置かれている状況が所定の状況になった場合には前記第２のグループを優先的に検索対象とすることを特徴とする請求項１乃至６の何れか１項に記載の表示情報切替装置。
【請求項８】
請求項１乃至７の何れか１項に記載の表示情報切替装置と、該表示情報切替装置と接続された電話機とを含む表示情報切替システムであって、
前記電話機は、着信があった場合に発信元電話番号を受信し、受信した該発信元電話番号を前記表示情報切替装置に通知し、
前記表示情報切替装置は前記電話機から通知された発信元電話番号に対応した情報を前記電話機の表示部に表示し、
前記電話機は表示部に表示した情報を参照したユーザからの操作に基づいて、前記着信に応答する、
ことを特徴とする表示情報切替システム。
【請求項９】
表示情報切替プログラムであって、
発信元電話番号に対応した情報を着信側に表示する場合に、同じ発信元電話番号であっても、着信側電話機が置かれている状況によって前記表示する情報の内容を異ならせる表示情報切替装置としてコンピュータを機能させることを特徴とする表示情報切替プログラム。
【請求項１０】
表示情報切替装置と、該表示情報切替装置と接続された電話機とを含む替システムが行なう表示情報切替方法であって、
前記電話機は、着信があった場合に発信元電話番号を受信し、受信した該発信元電話番号を前記表示情報切替装置に送信し、
前記表示情報切替装置は前記電話機から受信した発信元電話番号に対応した情報を前記電話機の表示部に表示し、
前記電話機は表示部に表示した情報を参照したユーザからの操作に基づいて、前記着信に応答し、
前記表示情報切替装置は、同じ発信元電話番号であっても、着信側電話機が置かれている状況によって前記表示する情報の内容を異ならせることを特徴とする表示情報切替方法。
【発明の詳細な説明】
【技術分野】
【０００１】
本発明は、表示する情報を切り替えるための、表示情報切替装置、表示情報切替システム、表示情報切替方法及び表示情報切替プログラムに関する。
【背景技術】
【０００２】
アナログ回線に接続される固定電話機や、光ファイバ回線やＩＳＤＮ（Integrated Services Digital Network）回線に接続されるＩＰ（Internet Protocol）電話機が広く普及している。
【０００３】
そして、これらの電話機に着信した際に、通信相手となる発信元の電話番号（以下、適宜「発番号」と呼ぶ。）を電話機の表示部に表示することが一般的に行われている。このようなサービスは、例えば、ナンバー・ディスプレイ（Number Display）等の名称で呼ばれている。
【０００４】
また、相手方の電話番号と、相手方の名前、相手方の名前のフリガナ及び相手方の所属する会社や部署といった情報を予め紐付けて記憶しておくことによって、いわゆる電話帳を作成することも一般的に行われている。
【０００５】
そしてこのように電話帳を作成しておけば、着信があった場合に、発番号を検索キーとして電話帳を検索し、発番号と同一の電話番号に紐付けられている情報である、相手方の名前等を電話機の表示部に表示することが可能となる。
【０００６】
このような電話機に情報を表示するための技術の一例が、例えば特許文献１に記載されている。
【０００７】
特許文献１に記載の技術では、予め、発呼者番号と発呼者名を紐付けたテーブルを作成しておく。そして、実際に着信があった際には、このテーブルを検索することにより、発番号に対応する発呼者名を特定する。
【０００８】
このようにして、特定した発呼者名を電話機の表示部に表示することにより、ユーザは発呼者が誰であるかを知ることができる。
【先行技術文献】
【特許文献】
【０００９】
【特許文献１】特開平２−５８４６３号公報
【特許文献２】特開２００６−２０３９５０号公報
【特許文献３】特開２００９−１８１２９０号公報
【特許文献４】特開２００７−２０８４９４号公報
【発明の概要】
【発明が解決しようとする課題】
【００１０】
上述したように、特許文献１に記載の技術等を利用することにより、電話機の表示部に、発呼者名等を表示することができる。そして、これを参照したユーザは、予め通話相手が誰であるかを認識してから、通話を開始する又は通話を行わない、といった判断をすることができる。
【００１１】
この点、上述したように電話帳に紐付けられている情報は、発呼者名だけではない。例えば、発呼者の所属する会社の会社名、発呼者の所属する部署の部署名、発呼者の所属するグループのグループ名等の種々の情報を紐付けることができる。
【００１２】
この場合に、仮に電話機の表示部が充分に大きいのであれば、発呼者名のみならず、これらの情報、更には電話番号までも併せて表示することができる。
【００１３】
しかしながら、電話機の表示部のサイズは有限であり、視認可能のサイズの文字を表示するためには、これらの情報の内の一部しか表示できないことも多い。
【００１４】
このような場合には、必ず発呼者名を表示し、他の情報は表示しない、というように設定することが考えられる。また、発呼者名に代えて他の情報（例えば、発呼者の所属する会社の会社名）を必ず表示する代わりに、発呼者名は表示しないように設定することも考えられる。
【００１５】
しかし、これらの情報の内の何れの情報がユーザに必要とされるかは、時と場合により異なる。そのため、ユーザに必要とされる情報が偶然表示されるときもあれば、ユーザに必要とされる情報が表示されずに他の情報が表示されてしまうという事態も生じてしまう。
【００１６】
そこで、本発明は、複数の情報の中から何れかの情報を選択して表示する際に、状況に応じた情報を選択して表示することが可能な、表示情報切替装置、表示情報切替システム、表示情報切替方法及び表示情報切替プログラムを提供することを目的とする。
【課題を解決するための手段】
【００１７】
本発明の第１の観点によれば、発信元電話番号に対応した情報を着信側に表示する場合に、同じ発信元電話番号であっても、着信側電話機が置かれている状況によって前記表示する情報の内容を異ならせることを特徴とする表示情報切替装置が提供される。
【００１８】
本発明の第２の観点によれば、上記本発明の第１の観点により提供される表示切替装置と、該表示切替装置と接続された電話機とを含む表示情報切替システムであって、前記電話機は、着信があった場合に発信元電話番号を受信し、受信した該発信元電話番号を前記表示切替装置に通知し、前記表示切替装置は前記電話機から通知された発信元電話番号に対応した情報を前記電話機の表示部に表示し、前記電話機は表示部に表示した情報を参照したユーザからの操作に基づいて、前記着信に応答する、ことを特徴とする表示情報切替システムが提供される。
【００１９】
本発明の第３の観点によれば、表示情報切替プログラムであって、発信元電話番号に対応した情報を着信側に表示する場合に、同じ発信元電話番号であっても、着信側電話機が置かれている状況によって前記表示する情報の内容を異ならせる表示情報切替装置としてコンピュータを機能させることを特徴とする表示情報切替プログラムが提供される。
【００２０】
本発明の第４の観点によれば、表示切替装置と、該表示切替装置と接続された電話機とを含む替システムが行なう表示情報切替方法であって、前記電話機は、着信があった場合に発信元電話番号を受信し、受信した該発信元電話番号を前記表示切替装置に送信し、前記表示切替装置は前記電話機から受信した発信元電話番号に対応した情報を前記電話機の表示部に表示し、前記電話機は表示部に表示した情報を参照したユーザからの操作に基づいて、前記着信に応答し、前記表示切替装置は、同じ発信元電話番号であっても、着信側電話機が置かれている状況によって前記表示する情報の内容を異ならせることを特徴とする表示情報切替方法が提供される。
【発明の効果】
【００２１】
本発明によれば、複数の情報の中から何れかの情報を選択して表示する際に、状況に応じた情報を選択して表示することが可能となる。
【図面の簡単な説明】
【００２２】
【図１】本発明の実施形態全体の基本的構成を表す図である。
【図２】本発明の実施形態における表示切替電話機に含まれる機能ブロックを表すブロック図である。
【図３】本発明の第１の実施形態における電話帳の具体例を表す図である。
【図４】本発明の第１の実施形態の動作を表すフローチャートである。
【図５】本発明の第１の実施形態における電話帳の検索について表す図である。
【図６】本発明の第１の実施形態における表示部での表示例を表す図である。
【図７】本発明の第２の実施形態における電話帳の具体例を表す図である。
【図８】本発明の第２の実施形態の動作を表すフローチャートである。
【図９】本発明の第２の実施形態における電話帳の検索について表す図である。
【図１０】本発明の第２の実施形態における表示部での表示例を表す図である。
【図１１】本発明の第３の実施形態における電話帳の具体例を表す図である。
【図１２】本発明の第３の実施形態の動作を表すフローチャートである。
【図１３】本発明の第３の実施形態における電話帳の検索について表す図である。
【図１４】本発明の第３の実施形態における表示部での表示例を表す図である。
【発明を実施するための形態】
【００２３】
まず、本発明の実施形態の概略を説明する。
【００２４】
本発明の実施形態は、電話着信時に通知される発信者番号（発番号）を、電話帳で検索し、表示器に名称表示する電話機において、状況に応じて、表示する名称を変更する電話機に関するものである。
【００２５】
電話機の表示器が大きければ、電話番号、名称１（個人名）、名称２（会社名・部署名等）等、の記憶している全ての情報を表示すればよい。しかし、全情報を表示し切れない小型の表示器の電話機の場合、本実施形態では、或る時は、名称１（個人名）を表示し、また或る時は名称２（会社名・部署名等）を表示する。また、これらの情報に併せて電話番号を表示するようにしてもよい。
【００２６】
以上が本発明の実施形態の概略である。
【００２７】
次に、本発明の第１の実施形態、第２の実施形態及び第３の実施形態の３つの実施形態について図面を参照して詳細に説明する。
【００２８】
＜第１の実施形態＞
第１の実施形態では、会社代表番号や部門代表番号へ電話着信時は、通知された発番号を電話帳で検索し、会社名や部署名を表示し、ダイヤルイン等で個人の番号へ電話着信時は、通知された発番号を電話帳で検索し、個人名を表示する。
【００２９】
その理由について説明する。代表番号への着信の場合、着信を受けるのは受付の人間であるため、個人名を表示されても誰だか分からない。そのため、会社名を表示した方が、電話応対がやり易い。一方で、営業部門の担当者等へのダイヤルイン着信のような場合、会社名を表示するよりも、既に知っている個人名で表示した方が、発信者に応じた電話の受け方が可能であるため、個人名を表示するようにする。
【００３０】
次に、図１を参照して本実施形態である、電話システム１０について説明する。
【００３１】
電話システム１０は、複数の表示切替電話機１００、交換機２００及び公衆網３００を含む。
【００３２】
そして、表示切替電話機１００−１は、外部からの電話対応を一次的に行なう代表部門に設置されており代表番号が割り当てられている。表示切替電話機１００−１は、例えば代表部門のオペレータによって使用される。
【００３３】
一方で、表示切替電話機１００−２は、営業活動を行なう営業部門に設置されており、営業部門の社員により使用される。同様に、表示切替電話機１００−ｎは、開発活動を行なう開発部門に設置されており、開発部門の社員により使用される。そして、表示切替電話機１００−２及び表示切替電話機１００−ｎ（ｎは正の整数）には、代表番号以外の別個の番号が割り当てられる。具体的には、例えばダイヤルインサービスにより提供される電話番号であるダイヤルイン番号が割り当てられる。ここで、ダイヤルインサービスとは、電話事業者と契約している回線に割り当てられた電話番号（代表番号）に加えて、追加で使用可能なダイヤルイン番号を提供するサービスである。
【００３４】
ダイヤルイン番号に関する技術は、例えば特許文献２に記載されている。ここで、特許文献２に記載の技術では、交換機が、ＩＳＤＮ網からダイヤルイン番号を受け付け、かかるダイヤルイン番号が音声通信に関するものであった場合には、かかるダイヤルイン番号に対応する端末を呼び出し、音声通話を実現することが記載されている。
【００３５】
なお、図１及び以下の説明においては、部署毎に表示切替電話機１００が設置されていることを前提として説明する。すなわち、部署単位で説明するが、表示切替電話機１００他の単位で設置されてもよい。例えば部署に含まれる各課の単位であってもよく、何らかのフループ単位であってもよい。また、各部署ごとに代表番号が割り当てられた表示切替電話機１００が設置されていたりしてもよい。
【００３６】
交換機２００は、各表示切替電話機１００及び公衆網３００と接続される。そして、交換機２００は、宛先となっている代表番号やダイヤルイン番号といった、電話番号に基づいて、公衆網３００に接続された外線電話機からの着信を、対応する表示切替電話機１００に接続する。これにより、交換機２００は、外線に接続されている電話機と表示切替電話機１００との通信を実現する。また、交換機２００は各表示切替電話機１００間での内線通信も実現する。なお、交換機２００は外線の電話機の発番号を宛先となった表示切替電話機１００に対して通知する。
【００３７】
公衆網３００は、公衆の電話網である。公衆網３００に接続された外部の電話機は、公衆網３００及び交換機２００を介して各表示切替電話機１００との通信を行なう。なお、公衆網３００は、アナログ回線であってもよく、光回線やＩＳＤＮ回線といったデジタル回線であってもよい。
【００３８】
次に、図２を参照して表示切替電話機１００に含まれる各機能ブロックについて説明する。
【００３９】
図２を参照すると表示切替電話機１００は、制御部１０１、表示部１０２、情報記憶部１０３、通信部１０４及び入力受付部１０５を含む。
【００４０】
制御部１０１は、表示切替電話機１００全体を制御する部分である。制御部１０１は、例えば、ＣＰＵ（Central Processing Unit）等の演算処理装置と、ＲＯＭ（read only memory）やＲＡＭ（Random Access Memory）といった記憶装置の組み合わせにより実現される。そして、ＣＰＵがＲＯＭに格納されたソフトウェアを読み込み、ＲＡＭに展開させながら演算処理を行い、演算処理の結果に基づいて各ハードウェアを制御することにより、表示切替電話機１００全体の制御は実現される。なお、ソフトウェアの一部又は全部が後述の情報記憶部１０３に格納されていてもよい。また、制御部１０１を例えばＣＰＵ等が搭載されたマイコンにより実現するようにしても良い。
【００４１】
制御部１０１の制御により、表示切替電話機１００は、他の電話機との音声通話を行なう。また、後述する表示情報の切り替えも、制御部１０１の制御により行われる。
【００４２】
表示部１０２は、発番号等の情報を表示するための表示部である。表示部１０２は、例えば液晶ディスプレイ（ＬＣＤ：liquid crystal display）により実現される。表示切替電話機１００全体の大きさ等を考慮して表示部１０２の大きさは決定される。従って、表示部１０２には、表示切替電話機１００の通話相手となった相手方に関連する全ての情報は表示されない。そのため本実施形態では、後述の表示情報の切り替えを行なうことにより状況に応じた情報を表示するようにする。なお、相手方に関連する情報とは、例えば、相手方の電話番号と、相手方の名前、相手方の名前のフリガナ及び相手方の所属する会社や部署といった情報である。
【００４３】
情報記憶部１０３は、電話帳を記憶する記憶部である。ここで、電話帳は、表示部１０２に表示する、通話相手となった相手方に関連する情報を含むテーブルにより実現される。なお、電話帳は、情報記憶部１０３に記憶されてもよいが、その一部又は全部が制御部１０１に記憶されてもよい。
【００４４】
通信部１０４は、交換機２００と接続されるためのインターフェイスである。表示切替電話機１００は、通信部１０４及び交換機２００を介して、外線に接続された他の電話機や、内線に接続された他の表示切替電話機１００と通信を行なう。
【００４５】
入力受付部１０５は、ユーザの操作を受け付ける部分であり、例えば電話番号を入力するためのテンキーや、通話を保留するための保留ボタン、及び短縮ダイヤル等の機能を割り付けるボタン等により実現される。
【００４６】
以上、表示切替電話機１００に含まれる各機能ブロックについて説明したが、これらは、本実施形態における表示切替に特に関連する部分のみである。表示切替電話機１００は上述した各部に加えてスピーカとマイクを一体化た受話器や、電源等の一般的な電話機に含まれる部分も含んでいる。しかしながら、これらの一般的な電話機に含まれる部分は、当業者にとってよく知られているので、ここでは、説明及び図示を省略する。
【００４７】
また交換機２００の一般的な構成は、例えば上述の特許文献２にも記載されており、これも当業者にとって良く知られているので、交換機２００の機能ブロックの説明も省略する。
【００４８】
次に、情報記憶部１０３又は制御部１０１に格納される電話帳の具体例について図３を参照して説明する。
【００４９】
まず、図３参照すると、電話帳には、フリガナ、名前、電話番号１、電話番号２、グループが紐付けて登録されている。
【００５０】
まず、最上段を見ると、「フリガナ：アダチ、名前：安達、電話番号１：５６５６、電話番号２：３２４８、グループ：２」として登録されている。これは、個人の名称と、その個人に対応するグループと、その個人が使用する電話番号が紐付けられたものである。
【００５１】
同様にして、アイウエオ順にて「山田  太郎」までの個人名が登録されている。
【００５２】
ここで、図の例から分かるように、個人名は苗字及び名前の組み合わせであってもよいし、例えば、苗字だけ、名前だけ、であってもよい。
【００５３】
また、図３下段には、個人名以外の名称での登録もなされている。例えば、フリガナ「ヤマダ  タロウ」は個人名「山田  太郎」と共に、電話番号「１２３４」と登録されている。
【００５４】
これに加えて、フリガナ「ヤマダ  タロウ」は、ヤマダ  タロウ氏が所属している会社名「○○商事」と共に、電話番号「１２３４」と登録されている。これは、代表番号宛の着信があった場合に使用される情報であり、それを明確とするために、フリガナの前に＊などの記号を付けるとともに「グループ：９」とされて登録されている。
【００５５】
制御部１０１は、このような電話帳を用いて、表示の切り替えを実行する。
【００５６】
なお、電話番号１及び電話番号２が有るように、１人が複数の電話番号と紐付けられていてもよい。例えば、或る個人が使用する固定電話の番号と、この個人が使用する携帯電話機の番号との双方が紐付けられていてもよい。
【００５７】
また、図中では説明を簡略化するため、電話番号の桁数を４桁としているが、電話番号は他の桁数であってもよい。
【００５８】
更に、「○○商事」といった会社名のみならず、何らかの組織名や部署名等の他の名称を登録するようにしてもよい。
【００５９】
次に、図４のフローチャート並びに図５及び図６を参照して、着信時の表示切替電話機１００の具体的な動作について説明する。なお、以下に説明する着信時の処理を行なう前提として、各表示切替電話機１００には、代表電話番号や個人電話番号等の電話番号が割り当てられているとする。
【００６０】
まず、制御部１０１は、着信が有るか否かを所定の間隔で確認する（ステップＳ１１）。着信がない場合には、着信の確認を継続する（ステップＳ１１においてＮｏ）。
【００６１】
そして、何れかの電話機から交換機２００を介して着信があると（ステップＳ１においてＹｅｓ）、ステップＳ１２に進む。
【００６２】
ステップＳ１２では、代表番号宛の着信であるか、ダイヤルイン番号等の個人番号宛の着信であるかを確認する。すなわち、本表示切替電話機１００に割り当てられている電話番号が、代表番号であるのか個人番号であるのかを確認する。
【００６３】
ここで、確認は任意の方法で行なうことができる。例えば、本表示切替電話機１００に割り当てられている電話番号が、代表番号であるの個人番号であるのかを予め設定しておき、設定の内容を制御部１０１又は情報記憶部１０３に記憶しておく。そして、ステップＳ１２において記憶している内容を参照することにより確認をすることができる。
【００６４】
また、他にも、例えば、本表示切替電話機１００に割り当てられている電話番号が、代表番号であるのか個人番号であるのかを交換機２００が通知するようにしても確認をすることができる。
【００６５】
ここで、確認の結果、本表示切替電話機１００に割り当てられている電話番号が、代表番号であったとする（ステップＳ１２においてＹｅｓ：代表番号）。その場合、制御部１０１により電話帳が検索され、電話番号に紐付けられている会社名（又は、何らかの組織名や部署名等の他の名称）が特定される。そして、特定された会社名（又は、何らかの組織名や部署名等の他の名称）が表示部１０２に表示される（ステップＳ１３）。
【００６６】
この点について、図５及び図６を参照して説明をする。代表番号に着信した場合には、図５の上段に記載されているように検索を行なう。具体的には、グループ１乃至８として登録されているグループではなく、グループ９として登録されている情報を優先して検索する。
【００６７】
例えば、今回の発番号が「１２３４」であったとする。この場合には、グループ９の電話番号１及び電話番号２について「１２３４」を検索キーとして検索を行なう。
【００６８】
これにより、検索結果として「フリガナ：＊ヤマダ  タロウ、名前：○○商事、電話番号１：１２３４、グループ：９」が特定される。なお、今回の電話番号については、グループ９に登録されていた。しかしながら、仮に、グループ９には登録がされていない場合には、すなわち、個人名のみが登録されている場合には、個人名が特定される。
【００６９】
そして、制御部１０１は、検索結果に基づいて、表示部１０１に、名前「○○商事」を表示する。この場合の表示例が、図６の上段に表わされている。図６の上段を参照すると、表示部１０２には、着信中である旨を表す表示、発信元が「○○商事」であるとの表示、及び発番号「１２３４」が表示される。
【００７０】
かかる表示を参照した代表番号を使用しているユーザは、着信が、「○○商事」に所属している人物からのものであることが分かる。そして、それを把握した上で電話対応を行なうことができる。
【００７１】
なお、表示部１０１の大きさに応じて、電話番号は表示しないようにしてもよい。また、着信中である旨を画面に表示すると共に、又はこれに代えて、例えば着信を表すＬＥＤ（light emitting diode）を点滅させたり、着信音を鳴らしたりするようにしてもよい。
【００７２】
他方、ステップＳ１２における確認の結果、本表示切替電話機１００に割り当てられている電話番号が、個人番号であったとする（ステップＳ１２においてＮｏ：個人番号）。その場合、制御部１０１により電話帳が検索され、電話番号に紐付けられている個人名が特定される。そして、特定された個人名が表示部１０２に表示される（ステップＳ１４）。
【００７３】
この点について、図５及び図６を参照して説明をする。個人番号に着信した場合には、図５の下段に記載されているように検索を行なう。具体的には、電話帳をフリガナ順に検索する。この場合には、グループ９として登録されている電話番号のフリガナの１文字目に「＊」などの記号が付されていることから、フリガナ順に検索する場合、グループ９以外のグループから優先的に検索されることになる。
【００７４】
例えば、今回の発番号が「１２３４」であったとする。この場合に、「１２３４」を検索キーとして検索をフリガナ順に行なうと、「フリガナ：＊ヤマダ  タロウ、名前：○○商事、電話番号１：１２３４、グループ：９」ではなく、「フリガナ：ヤマダ  タロウ、名前：山田  太郎、電話番号１：１２３４、グループ：１」が特定される。
【００７５】
そして、制御部１０１は、検索結果に基づいて、表示部１０１に、名前「山田  太郎」を表示する。この場合の表示例が、図６の下段に表わされている。図６の下段を参照すると、表示部１０２には、着信中である旨を表す表示、発信元が「山田  太郎」との表示、及び発番号「１２３４」が表示される。
【００７６】
かかる表示を参照した代表番号を使用しているユーザは、着信が、「山田  太郎」という名前の人物からのものであることが分かる。そして、それを把握した上で電話対応を行なうことができる。
【００７７】
なお、表示部１０２の大きさに応じて、電話番号は表示しないようにしてもよい。また、着信中である旨を画面に表示すると共に、又はこれに代えて、例えば着信を表すＬＥＤを点滅させたり、着信音を鳴らしたりするようにしてもよい。
【００７８】
ステップＳ１３及びステップＳ１４の何れを行った場合でも、次にステップＳ１５に進む。
【００７９】
ステップＳ１５では、着信を示す表示や音の出力による呼び出しを継続する。そして、ユーザが受話器を取る等の行為により、オフフックとなったか否かを確認する。
【００８０】
呼び出し中にオフフックとなった場合には（ステップＳ１５においてＹｅｓ）通話が開始される（ステップＳ１６）。
【００８１】
一方で、呼び出し中にオフフックとならなかった場合には、着信断となる。または所定の時間経過後、留守番電話機能等が起動し、音声の録音が行われる。
【００８２】
以上説明した、本実施形態では、同じ電話帳を使用していたとしても、代表番号に着信した場合と、個人番号に着信した場合とで表示する内容を切り替えることが可能となる、という効果を奏する。
【００８３】
また、代表番号への着信の場合、着信を受けるのは受付の人間であるため、個人名を表示されても誰だか分からない。そのため、会社名を表示した方が、電話応対がやり易い。それを考慮して、代表番号に着信した場合に会社名を表示することができる。
【００８４】
一方で、営業部門の担当者等へのダイヤルイン着信のような場合、会社名を表示するよりも、既に知っている個人名で表示した方が、発信者に応じた電話の受け方が可能である。そのため、ダイヤルイン着信のような個人番号への着信があった場合には個人名を表示することができる。
【００８５】
また、本実施形態では、今まで使っている電話帳に代表番号用の電話帳データを追加するだけで、表示切替が実現できる、という効果も奏する。
【００８６】
＜第２の実施形態＞
次に、第２の実施形態について説明する。
【００８７】
第１の実施形態では、表示切替電話機１００に割り当てられている電話番号が、代表番号であるのか、それとも、個人電話番号であるのか、に応じて表示する情報を切り替えていた。これに対し、第２の実施形態では、災害発生時（又は、災害訓練時）と、通常時（すなわち、災害が発生しておらず災害訓練も行われていないとき）とで表示する情報を切り替える。
【００８８】
ここで、本実施形態の基本的構成は図１及び図２を参照して説明した第１の実施形態と同等なので説明を省略する。
【００８９】
次に、本実施形態における制御部１０１の処理を説明する前提として、通常時と災害発生時（又は、災害訓練時）とを区別する技術について説明する。
【００９０】
まず、交換機２００や、或いは他のサーバ装置等から表示切替電話機１００が通知を受けることによって、表示切替電話機１００が通常時と災害発生時（又は、災害訓練時）とを区別することが考えられる。
【００９１】
このような技術の一例は、例えば特許文献３に記載されている。
【００９２】
特許文献３に記載されているように、いずれかの場所で地震が発生すると、その震源に最も近い地震計が、その地震波を最初に感知し、その観測データを気象庁に送信する。気象庁ではコンピュータでそのデータを解析し、地震の発生時刻、発生場所、規模（マグニチュード）の推定値を算出する。
【００９３】
そのようにして算出された地震の発生時刻、発生場所、規模（マグニチュード）の推定値を、緊急地震速報等として放送局その他の各種機関に送信する。その内の一機関として登録されている情報配信業者の地震情報配信サーバにも地震情報が送られ、地震情報配信サーバでは、気象庁から受信した地震情報を、契約している各端末装置に対して送信する。
【００９４】
また、端末装置は、緊急地震速報を受信後、一定時間以内に停電が発生したとき、停電が発生しても回線が生きている一般のアナログ電話回線を利用して、津波情報配信サーバ６に割り当てられた電話番号を呼び出し、アナログ回線網を介して津波情報を受信する。
【００９５】
このような、引用文献３に記載の技術等を利用し、例えば、地震情報配信サーバから送信される地震情報を、交換機２００経由で表示切替電話機１００が受信することにより、災害発生時であることが分かる。
【００９６】
また、例えば、災害が発生した旨や災害訓練を行なう旨を各部署のユーザに、館内放送等で、通知し、これを聞いたユーザが表示切替電話機１００の設定を切り替えることにより、災害発生時（又は、災害訓練時）であると表示切替電話機１００が判断できるようにしてもよい。
【００９７】
また、表示切替電話機１００に地震による振動を検知するためのセンサや、火災による煙の発生を検知するセンサ等を組み込むようにしてもよい。そして、これらのセンサの検知結果に基づいて、地震や火災といった災害が発生したと表示切替電話機１００が判断できるようにしてもよい。
【００９８】
次に、本実施形態における電話帳について図７を参照して説明する。
【００９９】
ここで、本実施形態における電話帳の概略は、図３を参照して説明した電話帳の具体例と概ね同じである。
【０１００】
ただし、第１の実施形態では、代表番号の場合に表示する名前にグループ９を紐付けると共に、フリガナの前に＊などの記号を付けていたが、本実施形態では、災害発生時（又は、災害訓練時）の場合に表示する名前にグループ９を紐付けると共に、フリガナの前に＊などの記号を付ける点で相違する。
【０１０１】
また、第１の実施形態では、「○○商事」や「××製作所」のように会社名等を名前として紐付けていた。この点、本実施形態では「災害本部」「緊急連絡班」等のように、災害発生時（又は、災害訓練時）に着信時に対応するか否かを判断するのに有益な名称を名前として紐付ける点で相違する。具体的には、第１の実施形態では「フリガナ：＊オオキ、名前：××製作所、電話番号１：５６７８、グループ：９」として登録していたが、本実施形態では、「フリガナ：＊オオキ、名前：災害本部、電話番号１：５６７８、グループ：９」としている点で異なる。同様に、第１の実施形態では「フリガナ：＊ヤマダタロウ、名前：○○商事、電話番号１：１２３４、グループ：９」として登録していたが、本実施形態では、「フリガナ：＊ヤマダタロウ、名前：緊急連絡班、電話番号１：１２３４、グループ：９」としている点で異なる。
【０１０２】
次に、図８のフローチャート並びに図９及び図１０を参照して、着信時の表示切替電話機１００の具体的な動作について説明する。
【０１０３】
なお、以下に説明する着信時の処理を行なう前提として、各表示切替電話機１００には、代表電話番号や個人電話番号等の電話番号が割り当てられているとする。また、上述したような交換機２００から通知を受ける等の方法で、表示切替電話機１００は、現在災害が発生しているか否か（又は、現在災害訓練時であるか否か）を判断可能となっているものとする。
【０１０４】
まず、制御部１０１は、着信が有るか否かを所定の間隔で確認する（ステップＳ２１）。着信がない場合には、着信の確認を継続する（ステップＳ２１においてＮｏ）。
【０１０５】
そして、何れかの電話機から交換機２００を介して着信があると（ステップＳ２においてＹｅｓ）、ステップＳ２２に進む。
【０１０６】
ステップＳ２２では、現在災害発生時（又は、現在災害訓練時、図中では、災害発生時とのみ記載する。）であるのか、それとも通常時であるのかを判断する。
【０１０７】
ここで、確認の結果、災害発生時（又は、災害訓練時）であったとする（ステップＳ２２においてＹｅｓ：災害発生時）。その場合、制御部１０１により電話帳が検索され、電話番号に紐付けられている、「災害本部」「緊急連絡班」等のように、災害発生時（又は、災害訓練時）に着信時に対応するか否かを判断するのに有益な名称が名前として特定される。そして、特定された名前が表示部１０２に表示される（ステップＳ２３）。
【０１０８】
この点について、図９及び図１０を参照して説明をする。災害発生時（又は、災害訓練時）に着信した場合には、図９の上段に記載されているように検索を行なう。具体的には、グループ１乃至８として登録されているグループではなく、グループ９として登録されている情報を優先して検索する。
【０１０９】
例えば、今回の発番号が「１２３４」であったとする。この場合には、グループ９の電話番号１及び電話番号２について「１２３４」を検索キーとして検索を行なう。
【０１１０】
これにより、検索結果として「フリガナ：＊ヤマダ  タロウ、名前：緊急連絡班、電話番号１：１２３４、グループ：９」が特定される。なお、今回の電話番号については、グループ９に登録されていた。しかしながら、仮に、グループ９には登録がされていない場合には、すなわち、個人名のみが登録されている場合には、個人名が特定される。
【０１１１】
そして、制御部１０１は、検索結果に基づいて、表示部１０２に、名前「緊急連絡班」を表示する。この場合の表示例が、図１０の上段に表わされている。図１０の上段を参照すると、表示部１０２には、着信中である旨を表す表示、発信元が「緊急連絡班」であるとの表示、及び発番号「１２３４」が表示される。
【０１１２】
かかる表示を災害発生時（又は、災害訓練時）に参照したユーザは、着信が、「緊急連絡班」に所属している人物からのものであることが分かる。そして、それを把握した上で電話対応を行なうことができる。
【０１１３】
なお、表示部１０２の大きさに応じて、電話番号は表示しないようにしてもよい。また、着信中である旨を画面に表示すると共に、又はこれに代えて、例えば着信を表すＬＥＤを点滅させたり、着信音を鳴らしたりするようにしてもよい。
【０１１４】
他方、ステップＳ２２における確認の結果、通常時であったとする（ステップＳ２２においてＮｏ：通常時）。その場合、制御部１０１により電話帳が検索され、電話番号に紐付けられている個人名が特定される。そして、特定された個人名が表示部１０２に表示される（ステップＳ２４）。
【０１１５】
この点について、図９及び図１０を参照して説明をする。通常時に着信した場合には、図９の下段に記載されているように検索を行なう。具体的には、電話帳をフリガナ順に検索する。この場合には、グループ９として登録されている電話番号のフリガナの１文字目に「＊」などの記号が付されていることから、フリガナ順に検索する場合、グループ９以外のグループから優先的に検索されることになる。
【０１１６】
例えば、今回の発番号が「１２３４」であったとする。この場合に、「１２３４」を検索キーとして検索をフリガナ順に行なうと、「フリガナ：＊ヤマダ  タロウ、名前：緊急連絡班、電話番号１：１２３４、グループ：９」ではなく、「フリガナ：ヤマダ  タロウ、名前：山田  太郎、電話番号１：１２３４、グループ：１」が特定される。
【０１１７】
そして、制御部１０１は、検索結果に基づいて、表示部１０２に、名前「山田  太郎」を表示する。この場合の表示例が、図１０の下段に表わされている。図１０の下段を参照すると、表示部１０２には、着信中である旨を表す表示、発信元が「山田  太郎」との表示、及び発番号「１２３４」が表示される。
【０１１８】
かかる表示を参照した災害発生時（又は、災害訓練時）を使用しているユーザは、着信が、「山田  太郎」という名前の人物からのものであることが分かる。そして、それを把握した上で電話対応を行なうことができる。
【０１１９】
なお、表示部１０２の大きさに応じて、電話番号は表示しないようにしてもよい。また、着信中である旨を画面に表示すると共に、又はこれに代えて、例えば着信を表すＬＥＤを点滅させたり、着信音を鳴らしたりするようにしてもよい。
【０１２０】
ステップＳ２３及びステップＳ２４の何れを行った場合でも、次にステップＳ２５に進む。
【０１２１】
ここで、以下のステップＳ２５の処理は、図４を参照して説明したステップＳ１５における処理と同等である。また、同じように、ステップＳ２６の処理は、図４を参照して説明したステップＳ１６における処理と同等である。更に、ステップＳ２７の処理は、図４を参照して説明したステップＳ１７における処理と同等である。
【０１２２】
従って、ステップＳ２５乃至ステップＳ２７の処理については説明を省略する。
【０１２３】
以上説明した、本実施形態では、同じ電話帳を使用していたとしても、災害発生時（又は、災害訓練時）と、通常時とで表示する内容を切り替えることが可能となる、という効果を奏する。
【０１２４】
例えば、通常時に着信があると、電話帳からフリガナ順に電話番号を検索し、該当する名前を表示する。例えば、「１２３４」から電話があると電話帳から該当する名前「山田  太郎」が表示される。フリガナ順であるため「災害本部」が表示されることはない。
【０１２５】
また、災害時（又は、災害訓練時）は、電話機の優先グループの設定を「グループ９」に設定しておく。この設定で「１２３４」から着信があると電話帳から該当する名前「緊急連絡班」が表示される。「緊急連絡班」と表示されることで、災害関連の連絡だと分り、緊急の連絡漏れを防ぐことが出来る。
【０１２６】
つまり、所定のグループを優先するため状況に応じて複数の名前表示を切り替えて使用できる。
【０１２７】
また、本実施形態では、今まで使っている電話帳に災害時用の電話帳データを追加するだけで、表示切替が実現できる、という効果も奏する。
【０１２８】
＜第３の実施形態＞
次に、第３の実施形態について説明する。
【０１２９】
第１の実施形態では、表示切替電話機１００に割り当てられている電話番号が、代表番号であるのか、それとも、個人電話番号であるのか、に応じて表示する情報を切り替えていた。また、第２の実施形態では、災害発生時（又は、災害訓練時）と、通常時（すなわち、災害が発生しておらず災害訓練も行われていないとき）とで表示する情報を切り替えていた。
【０１３０】
これに対し、本実施形態では、夜間モードと、通常モード（すなわち、夜間モードとはされていないときのモード）とで表示する情報を切り替える。
【０１３１】
ここで、本実施形態の基本的構成は図１及び図２を参照して説明した第１の実施形態と同等なので説明を省略する。
【０１３２】
次に、本実施形態における制御部１０１の処理を説明する前提として、通常モードと夜間モードとを区別する技術について説明する。
【０１３３】
通常モードから夜間モードの２つのモードを用意し、通常モードから夜間モードへの切換時刻になると、通常モードから夜間モードへと切り替えを行なうことにより、着信音を小さくする等の機能の制限を行ったり、留守番電話機能を起動させたりする電話機が存在する。
【０１３４】
このような電話機は、例えば特許文献４に記載されている。特許文献４に記載の電話機では、通常モードから夜間モードへの切換時刻になると、その主装置の内線に収容されたボタン電話機の付近に人がいても、夜間モードに設定されてしまうという不具合を防止することを目的としている。
【０１３５】
そして、かかる目的を達成するために、夜間モードへの切換時刻になったとき、ボタン電話機の付近に人がいないと推測されるときのみ自動的に夜間モードへ切換えることとしている。
【０１３６】
本実施形態においても、このような技術を利用することにより、通常モードから夜間モードへと切り替えを行なうようにすればよい。なお、例えば、平日と休日とで通常モードから夜間モードへの切換時刻を変えたり、曜日によって通常モードから夜間モードへの切換時刻を変えたりするようにしてもよい。また、通常モードから夜間モードへの切換は、各表示切替電話機１００が各々独自に行なってもよいが、交換機２００の指示に応じて通常モードから夜間モードへの切換を行なうようにしてもよい。
【０１３７】
次に、本実施形態における電話帳について図１１を参照して説明する。
【０１３８】
ここで、本実施形態における電話帳の概略は、図３や図７を参照して説明した電話帳の具体例と概ね同じである。
【０１３９】
ただし、第１の実施形態では、代表番号の場合に表示する名前にグループ９を紐付けると共に、フリガナの前に＊などの記号を付けていた。また、第２の実施形態では、災害発生時（又は、災害訓練時）の場合に表示する名前にグループ９を紐付けると共に、フリガナの前に＊などの記号を付けている。
【０１４０】
これに対して、本実施形態では、夜間モードの場合に表示する名前にグループ９を紐付けると共に、フリガナの前に＊などの記号を付けている点で相違する。
【０１４１】
また、第１の実施形態では、「○○商事」や「××製作所」のように会社名等を名前として紐付けていた。また、第２の実施形態では「災害本部」「緊急連絡班」等のように、災害発生時（又は、災害訓練時）に着信時に対応するか否かを判断するのに有益な名称を名前として紐付けていた。
【０１４２】
これに対して、本実施形態では、夜間モードに関連する名称を名前として紐付ける点で相違する。具体的には、例えば、第１の実施形態では「フリガナ：＊オオキ、名前：××製作所、電話番号１：５６７８、グループ：９」として登録していたが、本実施形態では、「フリガナ：＊オオキ、名前：××警備会社、電話番号１：５６７８、グループ：９」としている点で異なる。同様に、第１の実施形態では「フリガナ：＊ヤマダタロウ、名前：○○商事、電話番号１：１２３４、グループ：９」として登録していたが、本実施形態では、「フリガナ：＊ヤマダタロウ、名前：○○支社、電話番号１：１２３４、グループ：９」としている点で異なる。
【０１４３】
この点、例えば夜間は社員が全員帰社し、警備担当者のみが建物内にいるような場合が考えられる。このような場合に、警備担当者は、通常電話対応を行わないが、警備会社からの着信については電話応答を行なうような場合が考えられる。そのため、「××警備会社」等の会社名を表示することが考えられる。
【０１４４】
また、顧客からの問合せの受付時間が終了する時刻に夜間モードに切り替えるような場合も考えられる。この場合に社員は顧客からの着信については対応を行わないが、自社の支社からの着信については電話応答を行なうような場合が考えられる。そのため、「○○支社」等の自社の支社名を表示することが考えられる。
【０１４５】
例えば、この支社が外国にあるような場合には、時差の関係上、通常の営業時間経過後にこの支社からの電話着信がある場合が考えられる。このような場合に、支社名が表示されれば、通常は電話対応を行わない時間帯であっても、支社からの着信には対応できる、等の対応が可能となるという効果がある。
【０１４６】
次に、図１２のフローチャート並びに図１３及び図１４を参照して、着信時の表示切替電話機１００の具体的な動作について説明する。
【０１４７】
なお、以下に説明する着信時の処理を行なう前提として、各表示切替電話機１００には、代表電話番号や個人電話番号等の電話番号が割り当てられているとする。また、上述したような所定の切替時刻に夜間モードに切り替える等の方法で、表示切替電話機１００は、現在夜間モードとなっているか、又は通常モードとなっているかを判断可能となっているものとする。
【０１４８】
まず、制御部１０１は、着信が有るか否かを所定の間隔で確認する（ステップＳ３１）。着信がない場合には、着信の確認を継続する（ステップＳ３１においてＮｏ）。
【０１４９】
そして、何れかの電話機から交換機２００を介して着信があると（ステップＳ３においてＹｅｓ）、ステップＳ３２に進む。
【０１５０】
ステップＳ３２では、現在夜間モードであるのか、それとも通常モードであるのかを判断する。
【０１５１】
ここで、確認の結果、夜間モードであったとする（ステップＳ３２においてＹｅｓ：夜間モード）。その場合、制御部１０１により電話帳が検索され、電話番号に紐付けられている、「××警備会社」「○○支社」等のように、夜間モード時に、着信に対応するか否かを判断するのに有益な名称が名前として特定される。そして、特定された名前が表示部１０２に表示される（ステップＳ３３）。
【０１５２】
この点について、図１３及び図１４を参照して説明をする。夜間モードに着信した場合には、図１３の上段に記載されているように検索を行なう。具体的には、グループ１乃至８として登録されているグループではなく、グループ９として登録されている情報を優先して検索する。
【０１５３】
例えば、今回の発番号が「１２３４」であったとする。この場合には、グループ９の電話番号１及び電話番号２について「１２３４」を検索キーとして検索を行なう。
【０１５４】
これにより、検索結果として「フリガナ：＊ヤマダ  タロウ、名前：○○支社、電話番号１：１２３４、グループ：９」が特定される。なお、今回の電話番号については、グループ９に登録されていた。しかしながら、仮に、グループ９には登録がされていない場合には、すなわち、個人名のみが登録されている場合には、個人名が特定される。
【０１５５】
そして、制御部１０１は、検索結果に基づいて、表示部１０２に、名前「○○支社」を表示する。この場合の表示例が、図１４の上段に表わされている。図１４の上段を参照すると、表示部１０２には、着信中である旨を表す表示、発信元が「○○支社」であるとの表示、及び発番号「１２３４」が表示される。
【０１５６】
かかる表示を夜間モード時に参照したユーザは、着信が、「○○支社」に所属している人物からのものであることが分かる。そして、それを把握した上で電話対応を行なうことができる。例えば、顧客からのものではなく、自社の支社からのものであることが分かるため、それを考慮して着信に応じるようなことが可能となる。
【０１５７】
なお、表示部１０２の大きさに応じて、電話番号は表示しないようにしてもよい。また、着信中である旨を画面に表示すると共に、又はこれに代えて、例えば着信を表すＬＥＤを点滅させたり、着信音を鳴らしたりするようにしてもよい。
【０１５８】
他方、ステップＳ３２における確認の結果、現在通常モードであったとする（ステップＳ３２においてＮｏ：通常モード）。その場合、制御部１０１により電話帳が検索され、電話番号に紐付けられている個人名が特定される。そして、特定された個人名が表示部１０２に表示される（ステップＳ３４）。
【０１５９】
この点について、図１３及び図１４を参照して説明をする。通常モードに着信した場合には、図１３の下段に記載されているように検索を行なう。具体的には、電話帳をフリガナ順に検索する。この場合には、グループ９として登録されている電話番号のフリガナの１文字目に「＊」などの記号が付されていることから、フリガナ順に検索する場合、グループ９以外のグループから優先的に検索されることになる。
【０１６０】
例えば、今回の発番号が「１２３４」であったとする。この場合に、「１２３４」を検索キーとして検索をフリガナ順に行なうと、「フリガナ：＊ヤマダ  タロウ、名前：○○支社、電話番号１：１２３４、グループ：９」ではなく、「フリガナ：ヤマダ  タロウ、名前：山田  太郎、電話番号１：１２３４、グループ：１」が特定される。
【０１６１】
そして、制御部１０１は、検索結果に基づいて、表示部１０２に、名前「山田  太郎」を表示する。この場合の表示例が、図１４の下段に表わされている。図１４の下段を参照すると、表示部１０２には、着信中である旨を表す表示、発信元が「山田  太郎」との表示、及び発番号「１２３４」が表示される。
【０１６２】
かかる表示を参照した夜間モードを使用しているユーザは、着信が、「山田  太郎」という名前の人物からのものであることが分かる。そして、それを把握した上で電話対応を行なうことができる。
【０１６３】
なお、表示部１０２の大きさに応じて、電話番号は表示しないようにしてもよい。また、着信中である旨を画面に表示すると共に、又はこれに代えて、例えば着信を表すＬＥＤを点滅させたり、着信音を鳴らしたりするようにしてもよい。
【０１６４】
ステップＳ３３及びステップＳ３４の何れを行った場合でも、次にステップＳ３５に進む。
【０１６５】
ここで、以下のステップＳ３５の処理は、図４を参照して説明したステップＳ１５における処理と同等である。また、同じように、ステップＳ３６の処理は、図４を参照して説明したステップＳ１６における処理と同等である。更に、ステップＳ３７の処理は、図４を参照して説明したステップＳ１７における処理と同等である。
【０１６６】
従って、ステップＳ３５乃至ステップＳ３７の処理については説明を省略する。
【０１６７】
以上説明した、本実施形態では、同じ電話帳を使用していたとしても、夜間モードと、通常モードとで表示する内容を切り替えることが可能となる、という効果を奏する。
【０１６８】
例えば、通常モード時に着信があると、電話帳からフリガナ順に電話番号を検索し、該当する名前を表示する。例えば、「１２３４」から電話があると電話帳から該当する名前「山田  太郎」が表示される。フリガナ順であるため「○○支社」が表示されることはない。
【０１６９】
また、夜間モード時には、電話機の優先グループの設定を「グループ９」に設定しておく。この設定で「１２３４」から着信があると電話帳から該当する名前「○○支社」が表示される。「○○支社」と表示されることで、自社の関係者からの連絡だと分り、電話対応を行なうか否かを判断することができる。
【０１７０】
つまり、所定のグループを優先するため状況に応じて複数の名前表示を切り替えて使用できる。
【０１７１】
また、本実施形態では、今まで使っている電話帳に夜間モード用の電話帳データを追加するだけで、表示切替が実現できる、という効果も奏する。
【０１７２】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【０１７３】
例えば、各実施形態において、代表電話着信時、災害時、及び夜間モード時に電話機の優先グループの設定を「グループ９」にする。かかる設定は、手動で行われてもよく、電話システム１０内の各機器が、設定を自動で変更するようにしてもよい。
【０１７４】
また、上述した各実施形態では、外線の電話番号について電話帳を作成していたが、内線の番号について電話帳を作成するようにしてもよい。
【０１７５】
更に、交換機２００が電話帳を検索して、検索結果を表示切替電話機１００に表示させるようにしてもよい。
【０１７６】
更に、表示切替電話機１００は、アナログ回線を利用する固定電話であっても、デジタル回線を利用するＩＰ電話であってもよい。
【０１７７】
更に、電話システム１０に含まれる表示切替電話機１００の台数は任意の台数としてよい。更に、表示切替電話機１００を設置する部門の数も任意の数としてよい。更に、各部門に複数台の表示切替電話機１００が設置されてもよい。また、１つの部門に、代表電話番号が割り当てられた表示切替電話機１００と、個人電話番号が割り当てられた表示切替電話機１００とが混在していてもよい。
【０１７８】
更に、各実施形態を組み合わせるようにしてもよい。その場合には、グループ９以外の所定のグループも、状況に応じて優先的に検索する対象として使用するようにすればよい。例えば、第１の実施形態を実現するための、会社名等の情報をグループ９ではなく、グループ８として登録しておく。また、第２の実施形態を実現するための、災害時に使用する名称等の情報をグループ９に登録しておく。そして、代表部門の電話番号に着信があった場合には、グループ８から優先して検索する。また、災害時には、グループ９から優先して検索する。このようにすることにより、各実施形態を組み合わせて使用することができる。
【０１７９】
また、各実施形態に表示情報の切り替えを、着信時のみならず、発信時にも行なうようにしてもよい。例えば、第２の実施形態で発信時にも表示情報の切り替えを行なうならば、災害時にグループ９を優先的に検索することから、災害時の電話番号が同一グループに表示される。そのため、発信時に緊急の連絡先を見つけやすいという効果を奏する。
【０１８０】
なお、上記の電話システムに含まれる表示切替電話機及び交換機のそれぞれは、ハードウェア、ソフトウェア又はこれらの組み合わせにより実現することができる。また、上記の電話システムに含まれる表示切替電話機及び交換機により行なわれる表示情報の切り替えも、ハードウェア、ソフトウェア又はこれらの組み合わせにより実現することができる。ここで、ソフトウェアによって実現されるとは、コンピュータがプログラムを読み込んで実行することにより実現されることを意味する。
【０１８１】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１８２】
上記の実施形態の一部又は全部は、以下の付記のようにも記載されうるが、以下には限られない。
【０１８３】
（付記１）  発信元電話番号に対応した情報を着信側に表示する場合に、同じ発信元電話番号であっても、着信側電話機が置かれている状況によって前記表示する情報の内容を異ならせることを特徴とする表示情報切替装置。
【０１８４】
（付記２）  前記表示する情報とは、発信元を特定するための名称であることを特徴とする付記１に記載の表示情報切替装置。
【０１８５】
（付記３）  前記発信元電話番号は着信時に前記着信側電話機に通知され、少なくとも着信中の一部の期間に前記情報を表示することを特徴とする付記１又は２に記載の表示情報切替装置。
【０１８６】
（付記４）  前記着信側電話機に割り当てられる電話番号として、第１の種別の電話番号と、第２の種別の電話番号が有り、
前記着信側電話機に前記第１の種別の電話番号が割り当てられている場合と、前記着信側電話機に前記第２の種別の電話番号が割り当てられている場合とで前記表示する情報を異ならせることを特徴とする付記１乃至３の何れか１に記載の表示情報切替装置。
【０１８７】
（付記５）  災害に関連する事象が発生したか否かを判断する手段を備え、
災害に関連する事象が発生していない場合と、災害に関連する事象が発生している場合とで前記表示する情報を異ならせることを特徴とする付記１乃至３の何れか１に記載の表示情報切替装置。
【０１８８】
（付記６）  前記着信側電話機の設定は、時間帯に応じて第１の設定又は第２の設定に切り替えられ、
前記着信側電話機の設定が第１の設定とされている場合と、前記着信側電話機の設定が第２の設定とされている場合とで前記表示する情報を異ならせることを特徴とする付記１乃至３の何れか１に記載の表示情報切替装置。
【０１８９】
（付記７）  電話番号と第１の前記表示する情報とを紐付けて第１のグループとし、前記第１の前記表示する情報と紐付けた前記電話番号と第２の前記表示する情報とを紐付けて第２のグループとし、
前記発信元電話番号を検索キーとして前記各グループを検索することにより、発信元電話番号に対応する前記表示する情報を特定する手段を備え、
通常時は前記第１のグループを優先的に検索対象とするが、前記着信側電話機が置かれている状況が所定の状況になった場合には前記第２のグループを優先的に検索対象とすることを特徴とする付記１乃至６の何れか１に記載の表示情報切替装置。
【０１９０】
（付記８）  付記１乃至７の何れか１に記載の表示情報切替装置と、該表示情報切替装置と接続された電話機とを含む表示情報切替システムであって、
前記電話機は、着信があった場合に発信元電話番号を受信し、受信した該発信元電話番号を前記表示情報切替装置に通知し、
前記表示情報切替装置は前記電話機から通知された発信元電話番号に対応した情報を前記電話機の表示部に表示し、
前記電話機は表示部に表示した情報を参照したユーザからの操作に基づいて、前記着信に応答する、
ことを特徴とする表示情報切替システム。
【０１９１】
（付記９）  表示情報切替プログラムであって、
発信元電話番号に対応した情報を着信側に表示する場合に、同じ発信元電話番号であっても、着信側電話機が置かれている状況によって前記表示する情報の内容を異ならせる表示情報切替装置としてコンピュータを機能させることを特徴とする表示情報切替プログラム。
【０１９２】
（付記１０）  表示情報切替装置と、該表示情報切替装置と接続された電話機とを含む替システムが行なう表示情報切替方法であって、
前記電話機は、着信があった場合に発信元電話番号を受信し、受信した該発信元電話番号を前記表示情報切替装置に送信し、
前記表示情報切替装置は前記電話機から受信した発信元電話番号に対応した情報を前記電話機の表示部に表示し、
前記電話機は表示部に表示した情報を参照したユーザからの操作に基づいて、前記着信に応答し、
前記表示情報切替装置は、同じ発信元電話番号であっても、着信側電話機が置かれている状況によって前記表示する情報の内容を異ならせることを特徴とする表示情報切替方法。
【産業上の利用可能性】
【０１９３】
本発明は、表示される情報を切り替える用途に広く好適である。
【符号の説明】
【０１９４】
１０  電話システム
１００、１００−１、１００−２、１００−ｎ  表示切替電話機
１０１  制御部
１０２  表示部
１０３  情報記憶部
１０４  通信部
１０５  入力受付部
２００  交換機
３００  公衆網
【図１】
2016111383.tif 000003
【図２】
2016111383.tif 000004
【図３】
2016111383.tif 000005
【図４】
2016111383.tif 000006
【図５】
2016111383.tif 000007
【図６】
2016111383.tif 000008
【図７】
2016111383.tif 000009
【図８】
2016111383.tif 000010
【図９】
2016111383.tif 000011
【図１０】
2016111383.tif 000012
【図１１】
2016111383.tif 000013
【図１２】
2016111383.tif 000014
【図１３】
2016111383.tif 000015
【図１４】
2016111383.tif 000016